(57)【要約】【課題】デジタルカメラを測定器の代わりに使用し、モニタとチャートとを同時に撮影することにより、モニタのプロファイルを作成する方法及び装置を提供する。【解決手段】モニタに接続されたプロファイル作成装置であって、印刷媒体上に印刷された第１のチャートと、モニタ上に表示された第２のチャートと、を同時に電子カメラにより撮影した画像データを取得する取得手段と、前記画像データにおける前記第１のチャート部分を構成する各パッチのＲＧＢ値を取得し、当該ＲＧＢ値と前記第１のチャートを構成する各パッチの測色値とに基づいて前記電子カメラの色特性プロファイルを作成する第１の色特性プロファイル作成手段と、前記画像データにおける前記モニタ上に表示された第２のチャート部分を構成する各パッチのＲＧＢ値を取得し、当該ＲＧＢ値と前記電子カメラの色特性プロファイルとに基づいて前記モニタの色特性プロファイルを作成する第２の色特性プロファイル作成手段と、を備える。【選択図】図１
2008022410.tif 000002
【特許請求の範囲】
【請求項１】
モニタに接続されたプロファイル作成装置であって、
印刷媒体上に印刷された第１のチャートと、モニタ上に表示された第２のチャートと、を同時に電子カメラにより撮影した画像データを取得する取得手段と、
前記画像データにおける前記第１のチャート部分を構成する各パッチのＲＧＢ値を取得し、当該ＲＧＢ値と前記第１のチャートを構成する各パッチの測色値とに基づいて前記電子カメラの色特性プロファイルを作成する第１の色特性プロファイル作成手段と、
前記画像データにおける前記モニタ上に表示された第２のチャート部分を構成する各パッチのＲＧＢ値を取得し、当該ＲＧＢ値と前記電子カメラの色特性プロファイルとに基づいて前記モニタの色特性プロファイルを作成する第２の色特性プロファイル作成手段と、
を備えることを特徴とするプロファイル作成装置。
【請求項２】
請求項１に記載のプロファイル作成装置であって、
前記第１のチャートを構成する各パッチの測色値を記憶する記憶手段を有し、
前記第１の色特性プロファイル作成手段は、前記第１のチャート部分を構成する各パッチのＲＧＢ値と、前記記憶手段から取得した前記第１のチャートを構成する各パッチの測色値と、に基づいて前記電子カメラの色特性プロファイルを作成することを特徴とするプロファイル作成装置。
【請求項３】
請求項１又は２に記載のプロファイル作成装置であって、
前記第２の色特性プロファイル作成手段は、前記モニタ上に表示された第２のチャート部分を構成する各パッチのＲＧＢ値に対応する測色値を、前記電子カメラの色特性プロファイルの測色値に基づいて補間演算することにより夫々算出し、前記各ＲＧＢ値と、算出した測色値と、に基づいて前記モニタの色特性プロファイルを作成することを特徴とするプロファイル作成装置。
【請求項４】
モニタに接続された端末装置と、当該端末装置に接続されたサーバ装置とを備えるプロファイル作成システムであって、
前記サーバ装置は、
印刷媒体上に印刷された第１のチャートとモニタ上に表示された第２のチャートとを同時に電子カメラにより撮影した画像データを取得する取得手段と、
前記画像データにおける前記第１のチャート部分を構成する各パッチのＲＧＢ値を取得し、当該ＲＧＢ値と前記第１のチャートを構成する各パッチの測色値とに基づいて前記電子カメラの色特性プロファイルを作成する第１の色特性プロファイル作成手段と、
作成された前記電子カメラの色特性プロファイルを前記端末装置に送信する送信手段と、を備え、
前記端末装置は、
前記サーバ装置から送信された電子カメラの色特性プロファイルを受信する受信手段と、
前記画像データにおける前記モニタ上に表示された第２のチャート部分を構成する各パッチのＲＧＢ値を取得し、当該ＲＧＢ値と前記電子カメラの色特性プロファイルとに基づいて前記モニタの色特性プロファイルを作成する第２の色特性プロファイル作成手段と、を備えることを特徴とするプロファイル作成システム。
【請求項５】
請求項４に記載のプロファイル作成システムであって、
前記サーバ装置は、
前記第１のチャートを構成する各パッチの測色値を記憶する記憶手段を有し、
前記第１の色特性プロファイル作成手段は、前記第１のチャート部分を構成する各パッチのＲＧＢ値と、前記記憶手段から取得した前記第１のチャートを構成する各パッチの測色値と、に基づいて前記電子カメラの色特性プロファイルを作成することを特徴とするプロファイル作成システム。
【請求項６】
請求項４又は５に記載のプロファイル作成システムであって、
前記第２の色特性プロファイル作成手段は、前記モニタ上に表示された第２のチャート部分を構成する各パッチのＲＧＢ値に対応する測色値を、前記電子カメラの色特性プロファイルの測色値に基づいて補間演算することにより夫々算出し、前記各ＲＧＢ値と、算出した測色値と、に基づいて前記モニタの色特性プロファイルを作成することを特徴とするプロファイル作成システム。
【請求項７】
請求項４乃至６のいずれか一項に記載のプロファイル作成システムであって、
前記端末装置は、当該端末装置に通信するためのアドレス情報を撮影し、前記サーバに送信するアドレス送信手段を有することを特徴とするプロファイル作成システム。
【発明の詳細な説明】
【技術分野】
【０００１】
本発明は、モニタプロファイルを作成する方法及び装置に関する。
【背景技術】
【０００２】
近年、スキャナ、デジタルカメラなどの入力機器、モニタなどの表示機器、或いはプリンタなどの印刷機器等の各種デバイス（出力機器）の特性を把握し、その特性をファイルに記述し、その特性ファイルを用いて様々なデバイスの色を合わせるカラーマネジメントという技術が一般的になってきた。このカラーマネジメントは、ＩＣＣ（International Color Consortium）が提唱するＩＣＣ規格に従って行われることが一般的であり、ＩＣＣでは特性ファイルのことをプロファイルと呼ぶ。モニタのカラーマネジメントを行うためには、モニタの特性に依存する色空間（ＲＧＢ）と、デバイスに依存しない色空間（ＣＩＥＸＹＺ，ＣＩＥＬａｂ等）との間の色変換を行うべく、モニタのキャリブレーションとして、白色の色度や輝度等を調整する白色調整と、階調再現特性の調整を行った後に、モニタのプロファイル作成を行う。
【０００３】
モニタの測色を行う方法として、大きく分けて、＜１＞目視で行う方法。＜２＞接触型測色器を用いる方法。＜３＞非接触型測色器を用いる方法。がある。
【０００４】
＜１＞目視で行う方法によれば、特別な機器を必要としないので、安価であり、且つ、キャリブレーション及びプロファイル作成において環境光の影響（測定環境における照明光の影響）を反映させることができるという利点がある。例えば特許文献１には、ディザ画像と連続階調画像とのマッチングによる階調再現特性の調整の技術が開示されている。
【０００５】
＜２＞接触型測色器を用いる方法では、白色と階調再現特性の目標値を定め、モニタの画面に所定のＲＧＢ値のパッチを表示して測色し、この測色値が目標値に近づくようにモニタの調整又はビデオカードの調整を行い、更にプロファイルを作成する。この方法によれば、測色器本体を測色対象（基準となる白色を有する物体、モニタ画面）に接触させて測色するため、繰り返し再現性の高い安定した測定が行え、かつ、環境光の影響（測定環境における照明光の影響）を排除したモニタの機器本来の固有の表示特性を測ることができるという利点がある。
【０００６】
＜３＞非接触型測色器を用いる方法によれば、キャリブレーション及びプロファイル作成において環境光の影響（測定環境における照明光の影響）を反映させつつ安定した測定が行えるという利点がある。
【０００７】
また、特許文献２には、新たに測定器を購入することなく、簡易にモニタのプロファイルを作成する方法にかかる技術について開示されている。この技術は測定器の代わりにデジタルカメラを使用して、モニタのプロファイルを作成する技術である。
【０００８】
また、特許文献３に開示された発明によれば、ネットワークに接続するネットワーク接続手段と、カラー画像を表示するカラー画像表示手段と、カラーカメラあるいはセンサにより前記カラー画像表示手段の再現特性と観察照明条件を取得し、前記ネットワークを介して取得したカラー画像に色変換を施し、前記カラー画像表示手段に出力する色変換手段とを具備する。また、色変換は、ネットワークを介して取得したカラー画像に、ネットワーク経由でダウンロードした色変換プロファイルおよび色変換プログラムを用いて色変換を施してもよい。
【特許文献１】特開平６−３５４３０号公報
【特許文献２】特開２００３−６６２９号公報
【特許文献３】特開２００１−６００８２号公報
【発明の開示】
【発明が解決しようとする課題】
【０００９】
上述した従来のモニタのカラーマネジメントにおけるキャリブレーション及びプロファイル作成では、上述した３つの測色法のうち何れか一つを選択して使用する。
【００１０】
しかしながら、上述した３つの測色法は、利点だけでなく欠点も同時に併せ持つ。すなわち、＜１＞目視で行う方法では、個人差が生じ、繰り返し再現性に欠ける。また、＜２＞接触型測色器を用いる方法では、キャリブレーション及びプロファイル作成において環境光の影響（測定環境における照明光の影響）を反映させることができない。さらに、＜３＞非接触型測色器を用いる方法では、機器本体が接触型測色器に比べて非常に高価であり、更に非接触型測色器とモニタの画面との距離、画面との角度など、が測色値に影響を及ぼしてしまう。また、環境光の影響を反映させてしまうので、モニタの機器本来の固有の表示特性が得られない。
【００１１】
従って、モニタのカラーマネジメントの際に単一の測色法を用いた場合、いずれの測色法も上記の如く欠点がありどれも最適な測色法であるとはいえない。
【００１２】
一方、上述したキャリブレーション及びプロファイル作成の際に行なわれる各段階における処理（例えば、キャリブレーションにおける白色の測色及び階調再現特性における測色、プロファイル作成におけるＲＧＢ三原色の測色）に応じた最適な測色法を、それぞれの処理ごとに選択して使用することも考えられるが、その場合には非接触型測色器と接触型測色器の２台の測色器が必要となり、特に非接触型測色器は非常に高価なため、コスト高となる。
【００１３】
また、特許文献２の技術には問題点が３点ある。一点目は、デジタルカメラのプロファイルが既知であることを前提としているため、未知のデジタルカメラを使用することはできない点である。二点目は、新たにデジタルカメラのプロファイルを作成するためには、別途プロファイルを作成する手順が必要となる点である。三点目は、自動露出決定機能（絞り、シャッタースピードを自動で制御する仕組み）しか有さないデジタルカメラを使用すると、デジタルカメラのプロファイルを作成した場合とモニタのプロファイルを作成した場合との環境や露出が異なる場合が多いので、正確なモニタのプロファイルを作成することができない点である。
【００１４】
そこで、本発明は上記課題に鑑みてなされたものであり、デジタルカメラを測定器の代わりに使用し、モニタとチャートとを同時に撮影することによりモニタのプロファイルを作成する方法及び装置を提供することを目的する。
【課題を解決するための手段】
【００１５】
上記課題を解決するため、請求項１に記載の発明は、モニタに接続されたプロファイル作成装置であって、印刷媒体上に印刷された第１のチャートと、モニタ上に表示された第２のチャートと、を同時に電子カメラにより撮影した画像データを取得する取得手段と、前記画像データにおける前記第１のチャート部分を構成する各パッチのＲＧＢ値を取得し、当該ＲＧＢ値と前記第１のチャートを構成する各パッチの測色値とに基づいて前記電子カメラの色特性プロファイルを作成する第１の色特性プロファイル作成手段と、前記画像データにおける前記モニタ上に表示された第２のチャート部分を構成する各パッチのＲＧＢ値を取得し、当該ＲＧＢ値と前記電子カメラの色特性プロファイルとに基づいて前記モニタの色特性プロファイルを作成する第２の色特性プロファイル作成手段と、を備えることを特徴とするプロファイル作成装置である。
【００１６】
これによれば、電子カメラの色特性プロファイル作成用の第２のチャートと、モニタに表示された色特性プロファイル作成用の第２のチャートを同時に撮影することにより、一度の撮影で電子カメラの色特性プロファイルとモニタの色特性プロファイルと作成することができるため、電子カメラの色特性プロファイルが未知であっても、モニタの色特性プロファイルを作成することができるという効果を奏する。また、自動露出決定機能しか有さない電子カメラを使用する場合でも同じ環境下、同じ露出で撮影しているため、高精度にモニタのプロファイルを作成することができるという効果を奏する。
【００１７】
上記課題を解決するため、請求項２に記載の発明は、請求項１に記載のプロファイル作成装置であって、前記第１のチャートを構成する各パッチの測色値を記憶する記憶手段を有し、前記第１の色特性プロファイル作成手段は、前記第１のチャート部分を構成する各パッチのＲＧＢ値と、前記記憶手段から取得した前記第１のチャートを構成する各パッチの測色値と、に基づいて前記電子カメラの色特性プロファイルを作成することを特徴とするプロファイル作成装置である。
【００１８】
これによれば、プロファイル作成装置は予め第１のチャートを構成する各パッチの測色値を記憶しており、当該測色値を用いて、前記電子カメラの色特性プロファイルを作成するので、簡便かつ迅速に前記電子カメラの色特性プロファイルを作成することができる。
【００１９】
上記課題を解決するため、請求項３に記載の発明は、請求項１又は２に記載のプロファイル作成装置であって、前記第２の色特性プロファイル作成手段は、前記モニタ上に表示された第２のチャート部分を構成する各パッチのＲＧＢ値に対応する測色値を、前記電子カメラの色特性プロファイルの測色値に基づいて補間演算することにより夫々算出し、前記各ＲＧＢ値と、算出した測色値と、に基づいて前記モニタの色特性プロファイルを作成することを特徴とするプロファイル作成装置である。
【００２０】
これによれば、作成した前記電子カメラの色特性プロファイルの測色値を用いて、モニタの色特性プロファイルを作成することができる。
【００２１】
上記課題を解決するため、請求項４に記載の発明は、モニタに接続された端末装置と、当該端末装置に接続されたサーバ装置とを備えるプロファイル作成システムであって、前記サーバ装置は、印刷媒体上に印刷された第１のチャートとモニタ上に表示された第２のチャートとを同時に電子カメラにより撮影した画像データを取得する取得手段と、前記画像データにおける前記第１のチャート部分を構成する各パッチのＲＧＢ値を取得し、当該ＲＧＢ値と前記第１のチャートを構成する各パッチの測色値とに基づいて前記電子カメラの色特性プロファイルを作成する第１の色特性プロファイル作成手段と、作成された前記電子カメラの色特性プロファイルを前記端末装置に送信する送信手段と、を備え、前記端末装置は、前記サーバ装置から送信された電子カメラの色特性プロファイルを受信する受信手段と、前記画像データにおける前記モニタ上に表示された第２のチャート部分を構成する各パッチのＲＧＢ値を取得し、当該ＲＧＢ値と前記電子カメラの色特性プロファイルとに基づいて前記モニタの色特性プロファイルを作成する第２の色特性プロファイル作成手段と、を備えることを特徴とするプロファイル作成システムである。
【００２２】
上記課題を解決するため、請求項５に記載の発明は、請求項４に記載のプロファイル作成システムであって、前記サーバ装置は、前記第１のチャートを構成する各パッチの測色値を記憶する記憶手段を有し、前記第１の色特性プロファイル作成手段は、前記第１のチャート部分を構成する各パッチのＲＧＢ値と、前記記憶手段から取得した前記第１のチャートを構成する各パッチの測色値と、に基づいて前記電子カメラの色特性プロファイルを作成することを特徴とするプロファイル作成システムである。
【００２３】
上記課題を解決するため、請求項６に記載の発明は、請求項４又は５に記載のプロファイル作成システムであって、前記第２の色特性プロファイル作成手段は、前記モニタ上に表示された第２のチャート部分を構成する各パッチのＲＧＢ値に対応する測色値を、前記電子カメラの色特性プロファイルの測色値に基づいて補間演算することにより夫々算出し、前記各ＲＧＢ値と、算出した測色値と、に基づいて前記モニタの色特性プロファイルを作成することを特徴とするプロファイル作成システムである。
【００２４】
上記課題を解決するため、請求項７に記載の発明は、請求項４乃至６のいずれか一項に記載のプロファイル作成システムであって、前記端末装置は、当該端末装置に通信するためのアドレス情報を撮影し、前記サーバに送信するアドレス送信手段を有することを特徴とするプロファイル作成システムである。
【発明の効果】
【００２５】
本発明によれば、デジタルカメラ（電子カメラ）の色特性プロファイルが未知であっても、デジタルカメラを用いてモニタの色特性プロファイルを作成することができるという効果を奏する。また、自動露出決定機能しか有さないデジタルカメラを使用する場合でも同じ環境下、同じ露出で撮影しているため、高精度のモニタのプロファイルを作成することができる効果を奏する。
【発明を実施するための最良の形態】
【００２６】
■第１実施形態
以下、本発明の好適な実施の形態を添付図面に基づいて説明する。本実施形態は、デジタルカメラを用いてモニタのカラーマネジメントにおけるプロファイル作成を行うカラーマネジメントシステムについて本発明のプロファイル作成システムを適用した例を示す。
【００２７】
図１は、本実施形態に係るカラーマネジメントシステムＳの構成の概略及び使用状態を示す説明図である。
【００２８】
同図に示すように、当該カラーマネジメントシステムＳは、カラーマネジメントの対象となるモニタ１、電子カメラの一例としてのデジタルカメラ２、及び当該モニタ１及びデジタルカメラ２を接続し、本発明のプロファイル作成装置の一例であり、画像データを取得する取得手段、第１及び第２の色特性プロファイル作成手段及び記憶手段として機能するコンピュータ３、により構成されている。
【００２９】
なお、本発明の電子カメラは、デジタルカメラ２に限定されるものではなく、例えばビデオカメラを適用してもよい。
【００３０】
そして、本発明の印刷媒体上に印刷された第１のチャートの素材は、紙、プラスチック等材質は問わない。なお、本発明に係る印刷とは、印刷方式（オフセット、グラビア、活版、インクを転写したもの、など）を問わない。
【００３１】
また、本発明のモニタ１は、例えば、カラーＣＲＴ、カラー液晶表示装置、カラープラズマディスプレイ表示装置等、光の三原色Ｒ（赤）、Ｇ（緑）、Ｂ（青）の加法混色によって色再現を行う表示装置であればよい。
【００３２】
更に、デジタルカメラ２は、チャートを解像することができれば、ハイエンド一眼レフタイプ、コンシューマタイプ、携帯のカメラ等、種類は問わない。
【００３３】
始めに、図１乃至図５を参照してモニタのカラーマネジメントの具体的手法について説明する。
【００３４】
図２（Ａ）は、モニタ１のカラーマネジメント全体の処理を示すフローチャートであり、図２（Ｂ）は、撮影を示すフローチャートであり、図２（Ｃ）は、デジタルカメラプロファイルの作成を示すフローチャートであり、そして、図２（Ｄ）は、モニタプロファイルの作成を示すフローチャートである。
【００３５】
図２（Ａ）に示すモニタ１のカラーマネジメント全体の処理は、先ず始めにデジタルカメラ２でモニタ１とチャートを撮影し（ステップＳ１１）、次に、デジタルカメラプロファイル作成処理を行い（ステップＳ１２）、最後にモニタプロファイル作成処理を行う（ステップＳ１３）。
【００３６】
初めに、ステップＳ１１のデジタルカメラ２でモニタ１とチャートを撮影する処理について、図２（Ｂ）に示すフローチャートを用いて具体的に説明する。
【００３７】
先ず、モニタ１に、第２のチャートの一例としてのチャートデータを表示する（ステップＳ２１）。モニタ１に表示するチャートデータは、モニタ１のプロファイルが作成することが可能なものであるならば種類は問わないが、少なくとも白、黒、赤、緑、青、赤の中間調、緑の中間調、青の中間調の８色のパッチは必要とする。
【００３８】
次に、モニタ１の横に、第１のチャートの一例としてのデジタルカメラ２のチャートを設置する（ステップＳ２２）。このチャートはデジタルカメラプロファイルが作成可能なものであれば種類は問わない。例えば、Greatag  Macbeth社のDigital  Color  Checker  SG、Color  Checher  DCなどがある。また、このチャートを設置する位置は、設置する角度により照明の当たる量が異なるため、モニタ１の表示面と水平の位置に設置することが望ましい。最後に、モニタ１とチャートとを同時に撮影する（ステップＳ２３）。また、デジタルカメラ２の位置は、モニタ１の表示面とチャートの面に垂直な位置で、モニタ１の表示面全面とチャートとが画面内に入るように撮影する。デジタルカメラ２の露出は、露出計を用い、適切な露出設定でマニュアル撮影しても良い。また、露出オートで撮影しても良い。フラッシュは、モニタ１の表面が光るため使用しないほうが良いが、光が反射しないようなフィルムを貼る等、対策をとっているならば使用しても良い。
【００３９】
なお、図２（Ｂ）では、モニタ１にチャートデータを表示してから（Ｓ２１）、モニタ１の横にそのチャートを置いている（Ｓ２２）が、この順序は逆でも良い。
【００４０】
次に、ステップＳ１２のデジタルカメラプロファイルの作成処理について、図２（Ｃ）に示すフローチャートを用いて具体的に説明する。
【００４１】
先ず、モニタ１とモニタ１横に設置したチャートを同時に撮影した画像から、モニタ１横に設置したチャート部分を抽出し、チャートを構成する各パッチのＲＧＢ値を取得する（ステップＳ３１）。次に、コンピュータ３に備えた記憶手段に予め格納（記憶）されているチャートを構成する各パッチの測色値（Ｌａｂ）を取得し、各パッチ毎にＲＧＢ値と、測色値とを夫々対応付け、デジタルカメラの色特性プロファイル（デジタルカメラプロファイル）を作成する（ステップＳ３２）。作成方法としては、デジタルカメラ２が、コンピュータ３に撮影した画像を送り、このコンピュータ３内でデジタルカメラの色特性プロファイルを作成する。撮影された画像をコンピュータ３に送るには、デジタルカメラ２とコンピュータ３を直接に接続するか、又はＵＳＢメモリ等の外部記録媒体を使用することによりコンピュータに画像を送ればよい。表１に、作成されたデジタルカメラプロファイルの一例を示す。
【００４２】
【表１】
2008022410.tif 000003
最後に、ステップＳ１３のモニタプロファイルの作成処理について、図２（Ｄ）に示すフローチャートを用いて具体的に説明する。
【００４３】
先ず、モニタ１とチャートを同時に撮影した画像から、モニタ１に表示されたチャート部分を抽出し、モニタ出力色成分値に基づいてチャートの各色（各パッチ）のＲＧＢ値を取得する（ステップＳ４１）。次に、取得したＲＧＢ値と、上記作成したＲＧＢ値と測色値との関係を示すデジタルカメラプロファイル（表１参照。）とから、チャート各色の測色値（ＸＹＺ又はＬａｂ）を補間演算により算出する（ステップＳ４２）。最後に、ステップＳ４１にて取得された各ＲＧＢ値と、ステップＳ４２にて算出された測色値（ＸＹＺ又はＬａｂ）と、を夫々対応付けてモニタの色特性プロファイル（モニタプロファイル）を作成する（ステップＳ４３）。        
【００４４】
上述した実施形態によれば、デジタルカメラ２のプロファイル作成用のチャートと、モニタ１に表示されたモニタ１の色特性プロファイルのチャートを同時に撮影することにより、一度の撮影でデジタルカメラプロファイルとモニタプロファイルと作成することができるため、デジタルカメラプロファイルが未知であっても、モニタプロファイルを作成することができるという効果を奏する。また、自動露出決定機能しか有さないデジタルカメラ２を使用する場合でも同じ環境下、同じ露出で撮影しているため、高精度にモニタプロファイルを作成することができるという効果を奏する。
【００４５】
また、デジタルカメラ２のプロファイル作成用のチャートを構成する各パッチの測色値を、コンピュータの記憶手段に予め記憶しているので、デジタルカメラプロファイルを簡便かつ迅速に作成することができる。
【００４６】
更に、チャートの各色（各パッチ）のＲＧＢ値に対応する測色値を、デジタルカメラプロファイルの測色値を補間演算することにより算出するので、作成した前記電子カメラの色特性プロファイルの測色値を用いて、モニタの色特性プロファイルを容易に作成することができる。
【００４７】
■第２実施形態
図３は、第２実施形態に係るカラーマネジメントシステムＳの構成の概略及び使用状態を示す説明図である。本実施形態に係るカラーマネジメントシステムＳは、ネットワークを介したモニタプロファイルの作成に係るシステムであり、同図に示すように、カラーマネジメントの対象となるモニタ１、デジタルカメラ２、当該モニタ１及び当該デジタルカメラ２を接続し、モニタ１の色特性プロファイルを作成する第２の色特性プロファイル作成手段として機能するコンピュータ３（本発明の端末装置の一例）、バーコード４、及びデジタルカメラ２の色特性プロファイルを作成する第１の色特性プロファイル作成手段及び記憶手段の一例としてのサーバ５（本発明のサーバ装置の一例）により構成されている。
【００４８】
本実施形態におけるデジタルカメラ２は、バーコード４を読み取る機能を持つものであり、チャートが解像することができるものであれば、ハイエンド一眼レフタイプ、コンシューマタイプ、携帯のカメラ等種類は問わない。また、デジタルカメラ２は通信機能を備え、ネットワークを通じてサーバ５と情報のやり取りを行なうことができる。図３では、デジタルカメラ２とネットワークは無線通信により接続されているが、有線としてもよい。
【００４９】
バーコード４は、ネットワークを通じてコンピュータ３と通信を行うことができるアドレス情報が格納されている。当該バーコード４は、コンピュータ３のアドレス情報が入力することができれば１次元バーコード、２次元バーコード、等規格は問わない。また、バーコード４の位置は、チャート内、モニタ１上に表示されたチャートデータ内、印刷して横に置く等、読み取りが可能な位置であるならば場所は問わない。
【００５０】
なお、本実施形態では、バーコード４にアドレス情報を格納したが、本発明はこれに限定されず、アドレス情報を格納できれば、ＱＲコードなどを用いてもよい。その他の装置の構成は第１実施形態と同様であるため、説明を省略する。
【００５１】
図４（Ａ）は、本実施形態におけるモニタ１のカラーマネジメント全体の処理を示すフローチャートであり、図４（Ｂ）は撮影処理を示すフローチャートであり、図５（Ｃ）は、サーバ５が実行するデジタルカメラプロファイルの作成を示すフローチャートであり、図５（Ｄ）は、デジタルカメラ２が実行するデータ転送を示すフローチャートであり、そして図５（Ｅ）は、コンピュータ３が実行するモニタプロファイルの作成を示すフローチャートである。
【００５２】
始めに、ステップＳ５１のデジタルカメラ２でモニタ１とチャートとを撮影する処理について、図４（Ｂ）に示すフローチャートを用いて具体的に説明する。
【００５３】
まず、バーコード４を撮影する範囲内に設置する（ステップＳ６１）。図３に示すように、有体物として設置するのであれば、その格納されている情報が読み取ることが可能な位置に設置する。また、データの場合はモニタ１に表示するチャートデータ内にその情報を入力しておく。次に、モニタ１にチャートデータを表示する（ステップＳ６２）。そして、モニタ１の横にチャートを設置する（ステップＳ６３）。ステップＳ６２、６３の処理は第１実施形態と同様であるため詳細な説明は省略する。
【００５４】
最後に、モニタ１とチャートとバーコード４を同時に撮影する（ステップＳ６４）。図４（Ｂ）では、モニタ１にチャートデータを表示してから（Ｓ６２）、モニタ１の横に当該チャートを置いている（Ｓ６３）が、この順序は逆でも良い。
【００５５】
次に、デジタルカメラ２は、撮影した画像データをネットワークを介してサーバ５へ送信する（ステップＳ５２）。サーバ５にデータを送信する方法として、既知のアドレスにデータを送信する方法と、バーコード４からアドレス情報を取得し送信する方法との２通りの方法がある。
【００５６】
そして、サーバ５にてデジタルカメラプロファイルを作成する（ステップＳ５３）。デジタルカメラプロファイル作成のフローチャートを図５（Ｃ）に示す。
【００５７】
まず、サーバ５は、デジタルカメラ２から画像データを取得すると、モニタ１横に設置したチャート部分を抽出し、チャートを構成する各パッチのＲＧＢ値を取得する（ステップＳ７１）。次に、サーバ５に備えた記憶手段に予め格納（記憶）されているチャートを構成する各パッチの測色値（Ｌａｂ）を取得し、各パッチ毎にＲＧＢ値と、測色値とを夫々対応付け、デジタルカメラの色特性プロファイル（デジタルカメラプロファイル）を作成する（ステップＳ７２）。
【００５８】
次に、ステップＳ５４におけるデジタルカメラプロファイルをコンピュータ３に送信するフローチャートを図５（Ｄ）に示す。
【００５９】
先ず、画像データ中にあるバーコード４のアドレス情報を読み取り、コンピュータ３のアドレスを取得し（ステップＳ８１）、アドレス情報に基づいて、作成したデジタルカメラプロファイルをネットワークを介してコンピュータ３に送信する（ステップＳ８２）。なお、このときモニタ１とチャートとを同時に撮影した画像データも共に送信する。
【００６０】
最後に、ステップＳ５５のコンピュータ３にて実行されるモニタプロファイルの作成処理について、図５（Ｅ）に示すフローチャートを用いて具体的に説明する。
【００６１】
先ず、モニタ１とチャートとを同時に撮影した画像から、モニタ１に表示されたチャート部分を抽出し、モニタ出力色成分値に基づいてチャートの各色（各パッチ）のＲＧＢ値を取得する（ステップＳ９１）。次に、取得したＲＧＢ値と、上記作成したＲＧＢ値と測色値との関係を示すデジタルカメラプロファイルとから、チャート各色の測色値（ＸＹＺ又はＬａｂ）を補間演算により算出する（ステップＳ９２）。最後に、ステップＳ９１にて取得された各ＲＧＢ値と、ステップＳ９２にて算出された測色値（ＸＹＺ又はＬａｂ）と、を夫々対応付けてモニタの色特性プロファイル（モニタプロファイル）を作成する（ステップＳ９３）。
【００６２】
なお、本実施形態ではサーバ５を本発明のサーバ装置として機能させ、当該サーバ５にてデジタルカメラプロファイルを作成したが、デジタルカメラ２内でデジタルカメラプロファイルを作成し、デジタルカメラ２でバーコード４を認識し、直接コンピュータ３にデジタルカメラプロファイルを送信しても良い。この場合には、デジタルカメラ４が本発明におけるサーバ装置として機能することとなる。
【００６３】
上述した実施形態によれば、サーバ５は、印刷媒体上に印刷されたチャートとモニタ上に表示されたチャートとを同時にデジタルカメラ２により撮影した画像データを取得し、画像データにおけるチャートを構成する各パッチのＲＧＢ値を取得し、上記ＲＧＢ値と上述のチャートを構成する各パッチの測色値とに基づいてデジタルカメラ２の色特性プロファイルを作成し、これをコンピュータ３に送信する。そしてコンピュータ３では、モニタ１上に表示されたチャートを構成する各パッチのＲＧＢ値を取得し、当該ＲＧＢ値と、これに対応する測色値をサーバ５から送信されたデジタルカメラ２の色特性プロファイルに基づいて算出し、モニタ１の色特性プロファイルを作成するので、デジタルカメラ２をコンピュータ３に接続することなく、ネットワークを介してモニタ１のプロファイルを作成することができる。
【図面の簡単な説明】
【００６４】
【図１】第１実施形態に係るカラーマネジメントシステムＳの構成の概略及び使用状態を示す説明図である。
【図２】（Ａ）第１実施形態に係るモニタ１のカラーマネジメント全体処理を示すフローチャートである。（Ｂ）撮影処理を示すフローチャートである。（Ｃ）デジタルカメラプロファイル作成処理を示すフローチャートである。（Ｄ）モニタプロファイル作成処理を示すフローチャートである。
【図３】第２実施形態に係るカラーマネジメントシステムＳの構成の概略及び使用状態を示す説明図である。
【図４】（Ａ）第２実施形態に係るモニタ１のカラーマネジメント全体処理を示すフローチャートである。（Ｂ）撮影処理を示すフローチャートである。
【図５】（Ｃ）デジタルカメラプロファイル作成処理を示すフローチャートである。（Ｄ）データ転送のフローチャートである。（Ｅ）モニタプロファイル作成処理を示すフローチャートである。
【符号の説明】
【００６５】
Ｓ  カラーマネジメントシステム
１  モニタ              
２  デジタルカメラ
３  コンピュータ
４  バーコード
５  サーバ
【図１】
2008022410.tif 000004
【図２】
2008022410.tif 000005
【図３】
2008022410.tif 000006
【図４】
2008022410.tif 000007
【図５】
2008022410.tif 000008